【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
２つの筆記部によって異なる太さの描線を筆記可能なボールペンであって、
筆記ボールと、先端をかしめたカシメ部により前記筆記ボールを保持する第１の筆記部と、第１の筆記部にインクを供給するインク供給部と、インク供給部を内部に収納する軸筒と、前記第１の筆記部の外周を覆う第２の筆記部とを備え、前記筆記ボールを保持した第１の筆記部及び前記第２の筆記部の一部を前記軸筒の先端部より露出させてなるボールペンにおいて、
前記第２の筆記部と前記第１の筆記部との軸方向の位置関係を相対的に変化させることができる変位手段を備え、
前記変位手段は、前記第２の筆記部と前記第１の筆記部との相対的位置が、前記第１の筆記部の没入位置となった場合には、前記第１の筆記部と前記第２の筆記部の先端部を同時に筆記面に接触させることができるように形成されていることを特徴とするボールペン。
【請求項２】
２つの筆記部によって異なる太さの描線を筆記可能なボールペンであって、
筆記ボールと、先端をかしめたカシメ部により前記筆記ボールを保持する第１の筆記部と、第１の筆記部にインクを供給するインク供給部と、インク供給部を内部に収納する軸筒と、前記軸筒と一体に成形され該軸筒の先端部を構成するとともに前記第１の筆記部の外周を覆う第２の筆記部とを備え、前記筆記ボールを保持した第１の筆記部の一部を前記第２の筆記部の先端部より露出させてなるボールペンにおいて、
前記第２の筆記部と前記第１の筆記部との軸方向の位置関係を相対的に変化させることができる変位手段を備え、
前記変位手段は、前記第２の筆記部と前記第１の筆記部との相対的位置が、前記第１の筆記部の没入位置となった場合には、前記第１の筆記部と前記第２の筆記部の先端部を同時に筆記面に接触させることができるように形成されていることを特徴とするボールペン。
【請求項３】
前記変位手段は、前記第１の筆記部の後方に配置される弾性部材であって、前記第２の筆記部と前記第１の筆記部との相対的位置を、前記第２の筆記部の先端部が前記筆記ボールのカシメ部に達するまでの部分を覆う第１の筆記部の没入位置と、前記第２の筆記部の先端部が前記第１の筆記部の没入位置よりも後方側となる第１の筆記部の突出位置とに変位させることができ、
前記第１の筆記部の突出位置を初期位置として、前記第１の筆記部に先端方向からの荷重が加えられることにより、前記弾性部材が圧縮変形して、前記第１の筆記部が後方側に移動し、前記第１の筆記部を第１の筆記部の没入位置に移動させることができるように形成されていることを特徴とする請求項１又は２記載のボールペン。
【請求項４】
前記変位手段は、前記軸筒の先端部に設けられた繰出機構であり、
前記繰出機構は、所定の操作により、前記第２の筆記部を、前記第１の筆記部の突出位置と前記第１の筆記部の没入位置との間で移動させることができるように形成されていることを特徴とする請求項１又は２記載のボールペン。
【請求項５】
前記インクは、前記筆記ボールと前記第２の筆記部の先端部が同時に筆記面に接触した状態で、前記筆記ボールの筆記面との接触部と、前記第２の筆記部の先端部の筆記面との接触部との間に拡散可能な粘度に形成されていることを特徴とする請求項１から４までのいずれか１項に記載のボールペン。
【手続補正２】
【補正対象書類名】明細書
【補正対象項目名】０００６
【補正方法】変更
【補正の内容】
【０００６】
上記課題を解決するために、本願発明は、以下のような構成を備える。
（第１の発明）
第１の発明は、２つの筆記部によって異なる太さの描線を筆記可能なボールペンであって、筆記ボールと、先端をかしめたカシメ部により前記筆記ボールを保持する第１の筆記部と、第１の筆記部にインクを供給するインク供給部と、インク供給部を内部に収納する軸筒と、前記第１の筆記部の外周を覆う第２の筆記部とを備え、前記筆記ボールを保持した第１の筆記部及び前記第２の筆記部の一部を前記軸筒の先端部より露出させてなるボールペンにおいて、前記第２の筆記部と前記第１の筆記部との軸方向の位置関係を相対的に変化させることができる変位手段を備え、前記変位手段は、前記第２の筆記部と前記第１の筆記部との相対的位置が、前記第１の筆記部の没入位置となった場合には、前記第１の筆記部と前記第２の筆記部の先端部を同時に筆記面に接触させることができるように形成されていることを特徴とする。
（第２の発明）
本願発明のうち第２の発明は、２つの筆記部によって異なる太さの描線を筆記可能なボールペンであって、筆記ボールと、先端をかしめたカシメ部により前記筆記ボールを保持する第１の筆記部と、第１の筆記部にインクを供給するインク供給部と、インク供給部を内部に収納する軸筒と、前記軸筒と一体に成形され該軸筒の先端部を構成するとともに前記第１の筆記部の外周を覆う第２の筆記部とを備え、前記筆記ボールを保持した第１の筆記部の一部を前記第２の筆記部の先端部より露出させてなるボールペンに係る。そして、このボールペンは、前記第２の筆記部と前記第１の筆記部との軸方向の位置関係を相対的に変化させることができる変位手段を備え、前記変位手段は、前記第２の筆記部と前記前記第１の筆記部との相対的位置が、前記ホルダー没入位置となった場合には、前記筆記ボールと前記第２の筆記部の先端部を同時に筆記面に接触させることができるように形成されていることを特徴とする。
【手続補正３】
【補正対象書類名】明細書
【補正対象項目名】００１１
【補正方法】変更
【補正の内容】
【００１１】
本発明によれば、筆記ボールと第１の筆記部との最適な位置関係が保持されたまま、太さの違う線を描くことができる。
（第３の発明）
本願発明のうち第３の発明は、前記した第１又は第２の発明の構成に加え、以下のような構成を備える。すなわち、前記変位手段は、前記第１の筆記部の後方に配置される弾性部材であって、前記第２の筆記部と前記第１の筆記部との相対的位置を、前記第２の筆記部の先端部が前記カシメ部に達するまでの部分を覆う第１の筆記部の没入位置と、前記第２の筆記部の先端部が前記第１の筆記部の没入位置よりも後方側（先端側の反対側）となる第１の筆記部の突出位置とに変位させることができ、前記第１の筆記部の突出位置を初期位置として、前記第１の筆記部に先端方向からの圧力が加えられることにより、前記弾性部材が圧縮変形して、前記第１の筆記部が後方側に移動し、前記第１の筆記部を第１の筆記部の没入位置に移動させることができるように形成されていることを特徴とする。
【手続補正４】
【補正対象書類名】明細書
【補正対象項目名】００１４
【補正方法】変更
【補正の内容】
【００１４】
（第４の発明）
本願発明のうち第４の発明は、前記した第１又は第２の発明の構成に加え、以下のような構成を備える。すなわち、前記変位手段は、前記軸筒の先端部に設けられた繰出機構であり、前記繰出機構は、所定の操作により、前記第２の筆記部を、前記第１の筆記部の突出位置と前記第１の筆記部の没入位置との間で移動させることができるように形成されていることを特徴とする。
本発明は、前記第２の発明における変位手段を特定したものである。
前記繰出機構は、少なくとも一部が前記第２の筆記部と接合又は係合しており、所定の操作により、前記第２の筆記部を軸方向に移動させることができるものである。「所定の操作」とは、繰出機構を構成する一部や第２の筆記部を外部から操作することであり、操作対象を回転させたり、スライドさせたりすることである。繰出機構としては、たとえば、第２の筆記部の外周に突起を設け軸筒の先端の内周に円筒カムを設け、円筒カムと連結され軸筒10の外部に配置された操作部を回転操作することにより、第２の筆記部が軸方向に移動するようにした回転繰出機構とすることができる。あるいは、軸筒の先端内部と第２の筆記部との間に雄ねじと雌ねじを形成し、第２の筆記部を回転させることにより、第２の筆記部が軸方向に移動するようにしたものとすることができる。
【手続補正５】
【補正対象書類名】明細書
【補正対象項目名】００１６
【補正方法】変更
【補正の内容】
【００１６】
（第５の発明）
本願発明のうち第５の発明は、前記した第１から第４までのいずれかの発明の構成に加え、以下のような構成を備える。すなわち、前記インクは、前記筆記ボールと前記第２の筆記部の先端部が同時に筆記面に接触した状態で、前記筆記ボールの筆記面との接触部と、前記第２の筆記部の先端部の筆記面との接触部との間に拡散可能な粘度に形成されていることを特徴とする。
本発明によれば、筆記ボールと第２の筆記部の先端部を同時に筆記面に接触させたときに、筆記面と筆記ボールと第２の筆記部の先端部とにより囲まれた部分にインクが毛細管現象により拡散するので、太い描線をかすれさせることなく描くことができる。